(57)【要約】【課題】  ピアノのペダルへの装着、高さ調整が容易なピアノ用補助ペダル装置を提供する。【解決手段】  ベースプレート10に、演奏用ペダル30を支持するメインポール20と、ピアノのペダルを固定するペダル固定部40とが取り付けられ、演奏用ペダル30は、ペダル部31と、ペダル部31に取り付けられたスライドシャフト32と、スライドシャフト32に設けられた雌ねじ部32cとを有し、メインポール20は、スライドシャフト32が挿入される挿入穴と、スライダシャフト32を支持するロックホール22と、ロックホール22の周囲に設けられた複数の受け皿部23と、を有し、受け皿部23に係合してスライドシャフト32をメインポール20に支持固定する凸部52を有するロックボルト50を、スライドシャフト32の雌ねじ部32cにねじ込み、凸部52を所定の受け皿部23に係合させて演奏用ペダル30の高さを調整してスライドシャフト32を支持固定する。【選択図】    図６
2018106185.tif 000002
【特許請求の範囲】
【請求項１】
ベースプレートに、演奏用ペダルを所定の高さで支持するメインポールと、ピアノのペダルを固定するペダル固定部とが取り付けられ、
前記演奏用ペダルは、ペダル部と、このペダル部に取り付けられたスライドシャフトと、このスライドシャフトに設けられた少なくとも１つの雌ねじ部とを有し、
前記メインポールは、前記スライドシャフトが挿入される挿入穴と、前記スライダシャフトを支持する上下に所定の長さを有するロックホールと、このロックホールの周囲に設けられた複数の受け皿部とを有し、
前記受け皿部に係合して前記スライドシャフトを前記メインポールに支持固定する凸部を有するロックボルトを、前記スライドシャフトの雌ねじ部にねじ込み、前記ロックボルトの凸部を所定の受け皿部に係合させて前記演奏用ペダルの高さを調整して前記スライドシャフトを支持固定することを特徴とするピアノ用補助ペダル装置。
【請求項２】
前記ロックボルトは、摘み部に設けられた軸部とねじ部との間に前記凸部が設けられていることを特徴とする請求項１に記載のピアノ用補助ペダル装置。
【請求項３】
前記受け皿部は球面を有し、前記凸部は受け皿部と同一径の球面体で形成されていることを特徴とする請求項１又は２に記載のピアノ用補助ペダル装置。
【請求項４】
前記受け皿部は、下に向かって徐々に小さくなる球面からなる受け皿部が連続して形成されていることを特徴とする請求項３に記載のピアノ用補助ペダル装置。
【請求項５】
前記受け皿部は、同一の球面形状を上方ほど彫り込みが深く、下方になるほど浅くなるように形成されていることを特徴とする請求項４に記載のピアノ用補助ペダル装置。
【請求項６】
前記ベースプレートは、ピアノのペダルを収容し保持する保持部と前記メインポールが取り付けられる取り付け部からなり、取り付け部の底面は先端に向かってその厚さが薄くなるようにテーパー状に形成されていることを特徴とする請求項１に記載のピアノ用補助ペダル装置。
【請求項７】
前記保持部には、上下移動自在に支持されるペダル押さえ板を有する固定部と、前記ペダル押さえ板とでペダルを挟み込むベースゴムが設けられた凹所とを有し、前記凹所の先端部にピアノのペダルを挿入する際の位置決め壁が設けられていることを特徴とする請求項６に記載のピアノ用補助ペダル装置。
【発明の詳細な説明】
【技術分野】
【０００１】
この発明は、ピアノ用補助ペダル装置に係り、特に、ピアノに向かって椅子に腰掛けた演奏者の足が届かない場合に使用するピアノ用補助ペダル装置に関するものである。
【背景技術】
【０００２】
ピアノ本体の下部には、右ペダル、中ペダル、左ペダルが設けられている。グランドピアノにおいては、右ペダルは、ピアノ音を持続させるためのダンパーペダルであり、このペダルを踏むと弦からダンパーが離れ、鍵盤から指を離しても弦を長く振動させることができる。中ペダルは、押鍵した鍵盤のダンパーだけを弦から離しその音だけに余韻を残すためのソステヌートペダルであり、左ペダルは、音量だけでなく打弦の位置をずらすことで音色を微妙に変化させるためのシフトペダルである。
【０００３】
アップライトピアノにおいては、右ペダルは、ダンパーペダル、中ペダルは、ハンマーと弦との間に薄いフェルトを配置し、音量を下げるためのマフラーペダルであり、左ペダルは、ハンマー全体を現に近づけて音をソフトにするためのソフトペダルである。
【０００４】
そして、演奏者がこのペダルを演奏中に踏むことにより、それに対応したペダル効果が得られるようになっている。
【０００５】
ところで、上記したピアノに設けられたペダルは、高さが一定であり、通常は、大人が演奏する場合の操作を考慮して決められている。このため、子供が演奏する場合には、ペダルに足が届かず、その操作を行えないという不具合があった。
【０００６】
そこで、従来、ピアノのペダルにかさ上げをして、ペダルの操作を可能にするピアノ用補助ペダル装置を使用することが知られている。このようなピアノ用補助ペダル装置としては、例えば、特許文献１に提案されたものがある。図１７は、従来のピアノ用補助ペダル装置を示す分解斜視図である。
【０００７】
上記したピアノ用補助ペダル装置１００は、図１７に示すように、ピアノのペダル１０２に固定する固定部１１１に、矩形で箱状に形成された固定部材１１２と、この固定部材１１２とペダル１０２とを上下両側から挟持する上挟持板１１３及び下挟持板１１４とを備えている。固定部材１１２には、ペダル１０２と当接する面にゴム、フェルト、軟質樹脂、スポンジなどの軟質材からなる軟質部材１１２ａが装着されている。また、下挟持板１１４には、固定部材１１２と同様に、ペダル１０２と当接する面に軟質な材質からなる軟質部材１１４ａが装着されている。この下挟持板１１４には、軟質部材１１４ａの両側に開口する開口穴Ａを設け、この開口穴Ａにワッシャー１１４ｃを介在させてボルト１１４ｄを挿入している。そして、このボルト１１４ｄには、先端からナット１４ｂを挿入して締結することで下挟持板１１４に固定される。
【０００８】
また、上挟持板１１３は、固定部材１１２の上部にねじ１１３ｃにより固定されるとともに、両側に下挟持板１１４に固定したボルト１１４ｄを挿入する開口穴Ｂを開口している。そして、固定部材１１２に固定された上挟持板１１３には、下挟持板１１４に固定したボルト１１４ｄを開口穴Ｂに挿入してワッシャー１１３ａを介して蝶ナット１１３ｂにより締結することで下挟持板１１４を支持している。
【０００９】
また、上挟持板１１３と下挟持板１１４とを装着した固定部材１１２には、上部に延在する延在部１１５と、この延在部１１５の先端から略直角に屈曲して延在する演奏者が足を載せる伝達部１１８とが支持されている。ここで、延在部１１５は、固定部材１１２にねじ止めされたＬ字状の第１板部材１１７と、伝達部１１８にねじ止めされたＬ字状の第２板部材１１６とにより構成されている。そして、第１板部材１１７には、固定部材１１２から上部に延在する表面に開口した複数の貫通穴Ｃを形成している。また、第２板部材１１６には、伝達部１１８から下部に延在する表面に細長く開口する複数の貫通穴Ｄを形成している。第１板部材１１７及び第２板部材１１６は、図１７に示すように、表面に形成した貫通穴Ｃ、Ｄを合わせてボルト１１６ａを挿入してナット１１７ａにより締結することでお互いが連結して固定される。この際、第１板部材１１７及び第２板部材１１６からなる延在部１１５の長さは、ボルト１１６ａを挿入する貫通穴Ｃ、Ｄの位置をずらして固定することで自由に調節することができる。
【先行技術文献】
【特許文献】
【００１０】
【特許文献１】特開２００１―５６６８０号公報
【発明の概要】
【発明が解決しようとする課題】
【００１１】
上記した特許文献１のものにおいては、ペダルの高さを調整するために、第１板部材１１７及び第２板部材１１６からなる延在部１１５の長さを、ボルト１１６ａを挿入する貫通穴Ｃ、Ｄの位置をずらして固定することにより行っている。しかしながら、高さを調整するためには、ボルト１１６ａを外し、貫通穴Ｃ、Ｄの位置を変えて、そして、ボルト１１６ａを締め直す必要がある。この作業をピアノのペダルの狭い場所で行わなければならず、その作業が煩わしい。また、ピアノ教室などのように、生徒が代わる毎に、高さを調整する場合には、調整時間が長くなり、その間、生徒を待たすことになるなど、ピアノ教室などの使用には向かないという問題があった。
【００１２】
また、時間制限があるコンクールなどでは、ピアノ用補助ペダル装置をピアノのペダルに素早く確実に取り付けることが重要であるが、上記した特許文献１のものでは、ピアノのペダルへの取り付けや高さ調整などに多くの時間を必要にするなどの問題があった。
【００１３】
この発明は、上記した従来の問題点に鑑みなされたものにして、高さ調整が容易なピアノ用補助ペダル装置を提供することを課題とする。
【課題を解決するための手段】
【００１４】
この発明のピアノ用補助ペダル装置は、ベースプレートに、演奏用ペダルを所定の高さで支持するメインポールと、ピアノのペダルを固定するペダル固定部とが取り付けられ、前記演奏用ペダルは、ペダル部と、このペダル部に取り付けられたスライドシャフトと、このスライドシャフトに設けられた少なくとも１つの雌ねじ部とを有し、前記メインポールは、前記スライドシャフトが挿入される挿入穴と、前記スライダシャフトを支持する上下に所定の長さを有するロックホールと、このロックホールの周囲に設けられた複数の受け皿部とを有し、前記受け皿部に係合して前記スライドシャフトを前記メインポールに支持固定する凸部を有するロックボルトを、前記スライドシャフトの雌ねじ部にねじ込み、前記ロックボルトの凸部を所定の受け皿部に係合させて前記演奏用ペダルの高さを調整して前記スライドシャフトを支持固定することを特徴とする。
【００１５】
また、前記ロックボルトは、摘み部に設けられた軸部とねじ部との間に前記凸部が設けられ、前記受け皿部は球面を有し、前記凸部は受け皿部と同一径の球面体で形成すればよい。
【００１６】
また、前記受け皿部は、下に向かって徐々に小さくなる球面からなる受け皿部が連続して形成すればよく、前記受け皿部は、同一の球面形状を上方ほど彫り込みが深く、下方になるほど浅くなるように形成すればよい。
【００１７】
また、前記ベースプレートは、ピアノのペダルを収容し保持する保持部と前記メインポールが取り付けられる取り付け部からなり、取り付け部の底面は先端に向かってその厚さが薄くなるようにテーパー状に形成するとよい。
【００１８】
また、前記保持部には、上下移動自在に支持されるペダル押さえ板を有する固定部と、前記ペダル押さえ板とでペダルを挟み込むベースゴムが設けられた凹所とを有し、前記凹所の先端部にピアノのペダルを挿入する際の位置決め壁を設ければよい。
【発明の効果】
【００１９】
この発明は、ペダル部を取り付けたスライドシャフトをメインポールに挿入し、スライドシャフトを所定の高さまでスライドさせ、ロックボルトをスライドシャフトの雌ねじ部にねじ込むことで、ロックボルトの凸部が受け皿部に係合してスライドシャフトを支持固定することができ、ロックボルトを緩めて、締め付けるという簡単な作業で、演奏用ペダルを所定の高さに調整することができる。
【図面の簡単な説明】
【００２０】
【図１】この発明の実施形態に係るピアノ用補助ペダル装置の斜視図である。
【図２】この発明の実施形態に係るピアノ用補助ペダル装置の正面図である。
【図３】この発明の実施形態に係るピアノ用補助ペダル装置の背面図である。
【図４】この発明の実施形態に係るピアノ用補助ペダル装置の上面図である。
【図５】この発明の実施形態に係るピアノ用補助ペダル装置の底面図である。
【図６】この発明の実施形態に係るピアノ用補助ペダル装置の分解斜視図である。
【図７】図２のＡ−Ａ線での断面拡大図である。
【図８】図２のＢ−Ｂ線での断面拡大図である。
【図９】この発明の実施形態に係るピアノ用補助ペダル装置に用いるメインポールの正面図である。
【図１０】この発明の実施形態に係るピアノ用補助ペダル装置に用いるメインポールとロックボルトの側面図である。
【図１１】この発明の実施形態に係るピアノ用補助ペダル装置に用いるメインポールに挿入したスライドシャフトにロックボルトを取り付ける状態を示す説明図であり、（ａ）はロックボルトを取り付ける状態、（ｂ）はロックボルトを締め付けた状態、（ｃ）はロックボルトを緩めて移動させる状態を示している。
【図１２】演奏用ペダルを上に上げた状態を示す正面図である。
【図１３】演奏用ペダルを上に上げた状態を示す断面図である。
【図１４】演奏用ペダルを最も上に上げた状態を示す正面図である。
【図１５】この発明のピアノ用補助ペダル装置をピアノのペダルに取り付ける状態を示す斜視図である。
【図１６】この発明のピアノ用補助ペダル装置をピアノのペダルに取り付けた状態を示す斜視図である。
【図１７】従来のピアノ用補助ペダル装置を示す分解斜視図である。
【発明を実施するための形態】
【００２１】
この発明の実施の形態について図面を参照しながら詳細に説明する。なお、図中同一または相当部分には同一符号を付し、説明の重複を避けるためにその説明は繰返さない。
【００２２】
図１〜図８に示すように、この実施形態に係るピアノ用補助ペダル装置１は、ベースプレート１０に、演奏用ペダル３０を所定の高さで支持するメインポール２０と、ピアノのペダルを固定するペダル固定部４０とが取り付けられる。
【００２３】
演奏用ペダル３０は、ペダル部３１とこのペダル部３１に取り付けられたスライドシャフト３２を有する。演奏用ペダル３０のペダル部３１は、図４の平面図に示すように、ピアノのペダルと同様にピアノ側から後に向かって幅が広くなるように形成され、踏み込みを容易にしている。そして、ペダル部３１の表面には、デザイン性を兼ねた滑り止め用の複数の溝３３が設けられている。
【００２４】
ペダル部３１とスライドシャフト３２は、ペダル部３１の表面から直交するように取り付けられている。この実施形態では、スライドシャフト３２がねじ３４によりペダル部３１に取り付けられている。ペダル部３１とスライドシャフト３２は、ねじにより取り付ける以外に、両者を溶接などにより固定してもよい。このペダル部３１、スライドシャフト３２は、ステンレス鋼、アルミニウム合金等の金属で形成され、この実施形態では、ジュラルミンにより形成されている。
【００２５】
図６に示すように、スライドシャフト３２は、メインポール２０の挿入穴２１に挿入されるスライダー部３２ａとスライダー部３２ａに連接して設けられスライダー部３２ａより小径のペダル取り付け部３２ｂとを有する。スライダー部３２ａには、後述するロックボルト５０の雄ねじ部５１がねじ込まれる２つの雌ねじ部３２ｃ、３２ｄが設けられている。取り付け部３２ｂの先端には、ペダル部３１に設けられた係合穴３５と係合する小判状の係合突部３２ｅが設けられ、この係合突部３２ｅには、ねじ３４と嵌め合わされるねじ穴３２ｆが設けられている（図７参照）。この実施形態では、スライダー部３２ａに２つの雌ねじ部３２ｃ、３２ｄを設けているが、雌ねじ部は、少なくとも１つ設ければよく、雌ねじ部の数を増やことで、後述するように、高さ調整できる数を増やすことができる。
【００２６】
ペダル部３１の係合穴３５にスライドシャフト３２の係合突部３２ｅを嵌め込み、ねじ３４をねじ穴３２ｆにねじ込むことにより、ペダル部３１とスライドシャフト３２が取り付けられる。
【００２７】
ベースプレート１０は、ピアノのペダルを収容し保持する保持部１１とメインポール２０が取り付けられる取り付け部１２からなり、保持部１１から取り付け部１２の先端の円弧部分に向かってテーパー状に狭くなるように構成されている。このベースプレート１０は、ステンレス鋼、アルミニウム合金等の金属で形成され、この実施形態では、ジュラルミンにより形成され、一端側の取り付け部１２にメインポール２０が４本のねじ１０ａで取り付けられる（図５参照）。他端側の保持部１１の中央部分には、ステンレス鋼からなるペダル固定部４０が取り付けられる。ペダル固定部４０の固定枠４１は、リップ溝型形状に形成され、底部の両折曲片４２が、ベースプレート１０の下側に回り込み、それぞれ２本のねじ４３でベースプレート１０に固定される。ベースプレート１０の裏面には、固定枠４１の折曲片４２が嵌まり込む段部１５が設けられている。
【００２８】
そして、図２、図３に示すように、取り付け部１２の底面は先端に向かってその厚さが薄くなるようにテーパー状に形成され、演奏用ペダル３０を踏み込んだときに、床にベースプレート１０が当接するのを防止している。
【００２９】
保持部１１には、凹所１３が設けられ、この凹所１３内にベースゴム１４が設けられている。この凹所１３の先端部の壁１３ａは、ピアノのペダルを挿入する際の位置決めとして用いられ、この壁１３ａにピアノのペダルを当接させた状態で、ペダル押さえ板４６とベースゴム１４とで、ペダルを挟み込み固定する。
【００３０】
図８に示すように、固定部４０には、ペダル押さえ板４６を取り付けた固定ボルト６０が設けられている。このため、固定部４０の固定枠４１には、固定ボルト６０の雄ねじ部６１がねじ込まれる雌ねじ部４５ａを有するボス部４５が取り付けられる。ボス部４５は、固定枠４１から上方に突出させ、ボス部４５の基部４５ｂを固定枠４１の上方からねじ４４により固定することにより、固定枠４１にボス部４５が取り付けられる。
【００３１】
固定ボルト６０の先端には、ペダル押さえ板４６がねじ４６ｂで固定されている。ペダル押さえ板４６には、凹部４６ｃが設けられ、この凹部４６ｃにペダル押さえゴム４６ａが埋め込まれて取り付けられている。
【００３２】
ペダル固定部４０は、固定枠４１と固定ボルト６０に取り付けられたペダル押さえ板４６で構成され、固定枠４１のボス部４５に取り付けられた固定ボルト６０の摘み部６２を回すことにより、ペダル押さえ板４６が上下に移動する。ペダル押さえ板４６を上げる、即ち、緩める場合には、摘み部６２を左に回す。また、ペダル押さえ板４６を下げる、即ち締める場合には、摘み部６２を右に回す。この固定ボルト６０の摘み部６２を回して、ペダル押さえ板４６とベースプレート１０に設けられたベースゴム１４とで、ピアノのペダルを挟み込み固定する。
【００３３】
メインポール２０には、挿入穴２１に挿入されたスライドシャフト３２のスライダー部３２ａを所定の高さで固定するため上下に所定の長さを有する長丸穴又は角穴からなるロックホール２２が設けられている。
【００３４】
図９及び図１０に示すように、このロックホール２２の周囲は、下に向かって徐々に小さくなる球面からなる受け皿部２３が設けられている。この受け皿部２３は、同一の球面形状を上方ほど彫り込みが深く、下方になるほど浅くなるように形成することにより、その受け皿部２３が下に向かうほど小さくなるように形成されている。この実施形態においては、８個の受け皿部２３が下に向かって連続して形成され、ロックホール２２を形成している。このロックホール２２は、ロックボルト５０のねじ部５１が挿入可能な大きさに形成されている。このロックホール２２は、８個の穴が連続して形成されているのと同様に、８個の受け皿部２３が８箇所の高さ調整位置を構成することになる。
【００３５】
図１０に示すように、ロックボルト５０は、摘み部５４に設けられた軸部５３とねじ部５１との間にねじ部５１まで球面からなる凸部５２が設けられている。この凸部５２は、軸と直交する方向で断面にした際に、ねじ部５１に向かうに連れてその径が小さくなるように形成されている。この凸部５２球面は、このロックホール２２の受け皿部２３の球面と同じ径であり、ねじ部５１に近いほどロックホール２２の下方の受け皿部２３に係合され、軸部５３に近いほど上方の受け皿部２３に係合する。
【００３６】
スライドシャフト３２には、ロックボルト５０のねじ部５１と係合する２つの雌ねじ部３２ｃ、３２ｄが設けられている（図６参照）。この実施形態では、メインポール２０のロックホール２２の受け皿部２３は８個あるので、ロックボルト５０のねじ部５１をスライドシャフト３２に設けられた雌ねじ部３２ｃ、３２ｄを付け替えることで、１６段階の高さ調整が行える。そして、この実施形態では、スライドシャフト３２の２つの雌ねじ部３２ｃ、３２ｄの間隔は２０ｍｍであり、ロックホール２２の移動で行える調整の高さは５０ｍｍとしている。
【００３７】
スライドシャフト３２の上の雌ねじ部３２ｃにロックボルト５０を付けると、１３０ｍｍ〜１８０ｍｍの間の高さ調整が行え、下の雌ねじ部３２ｄにロックボルトを付けると１５０ｍｍ〜２００ｍｍの高さ調整が行える
【００３８】
ペダル部３１を取り付けたスライドシャフト３２をメインポール２０の挿入穴２１から挿入し、ペダル部３１の中心をベースプレート１０と平行になるようにすると、スライドシャフト３２の雌ねじ部３２ｃ、３２ｄがロックホール２２に臨み、スライドシャフト３２の雌ねじ部３２ｃ、３２ｄの内、例えば、上の雌ねじ部３２ｃにロックボルト５０のねじ部５１をねじ込む。
【００３９】
図１〜図７は、一番低い位置に演奏用ペダル３０の高さを調整した状態を示している。スライドシャフト３２の上の雌ねじ部３２ｃにロックボルト５０のねじ部５１をねじ込み、スライドシャフト３２を一番下まで押し込み、ロックボルト５０の摘み部５４を回して行くと、ロックボルト５０がメインポール２０に向かって進んで行き、ロックボルト５０の凸部５２が一番下の受け皿部２３に係合し、スライドシャフト３２がロックされる。このとき、ロックボルト５０は、最も浅い位置でロックされた状態である。そして、凸部５２と受け皿部２３は、同径の球面で形成されているため、広い接触面積により、強い締め付け力が得られ、演奏用ペダル３０は、所定の高さに強固に固定される。
【００４０】
図１２及び図１３は、スライドシャフト３２の上の雌ねじ部３２ｃにロックボルト５０のねじ部５１をねじ込んだ時の一番高い位置に演奏用ペダル３０の高さを調整した状態を示している。スライドシャフト３２の上の雌ねじ部３２ｃにロックボルト５０のねじ部５１をねじ込み、スライドシャフト３２を一番上まで持ち上げ、ロックボルト５０の摘み部５４を回して行くと、ロックボルト５０がメインポール２０に向かって進んで行き、ロックボルト５０の凸部５２が一番上の受け皿部２３に係合し、スライドシャフト３２がロックされる。このとき、ロックボルト５０は、最も深い位置でロックされた状態である（図１１参照）。そして、凸部５２と受け皿部２３は、同径の球面で形成されているため、広い接触面積により、強い締め付け力が得られ、演奏用ペダル３０は、所定の高さに強固に固定される。
【００４１】
この位置から演奏用ペダル３０の高さを一段下げる場合には、ロックボルト５０を少し緩めると、一つ下の受け皿部２３に凸部５２が係合し、この位置でロックボルト５０を締め込むと１つ下の位置の高さに調整できる。
【００４２】
このように、ロックボルト５０を緩めてスライドシャフト３２を移動させ、ロックボルト５０を締め付けるだけで簡単に高さ調整が行える。
【００４３】
図１４は、最も高い位置に演奏用ペダル３０の高さを調整した状態を示している。スライドシャフト３２の下の雌ねじ部３２ｄに、ロックボルト５０のねじ部５１をねじ込み、スライドシャフト３２をメインポール２０の一番上まで持ち上げ、ロックボルト５０の摘み部５４を回して行くと、ロックボルト５０がメインポール２０に向かって進んで行き、ロックボルト５０の凸部５２が一番上の受け皿部２３に係合し、スライドシャフト３２がロックされる。このとき、ロックボルト５０は、最も深い位置でロックされた状態である。
【００４４】
スライドシャフト３２からロックボルト５０を外す場合は、スライドシャフト３２に取り付けるロックボルト５０の雌ねじ部の位置を変えるときだけである。即ち、通常の高さ調整は、ロックボルト５０を緩め、所定の高さ位置までスライドシャフト３２を移動させ、ロックボルト５０の凸部５２をロックホール２２の受け皿部２３に嵌め込むことで行えるので、高さ調整が容易に行える。
【００４５】
また、ロックホール２２の周囲の受け皿部２３は、下方に行くに従って徐々に浅くなっているので、ロックボルト５０が少し緩んだとしても、次の下の受け皿部２３で受け止められるので、大幅なペダルの下降は防ぐことができる。
【００４６】
この実施形態では、受け皿部２３は、下に向かって徐々に小さくなる球面で形成しているが、同じ径の球面からなる受け皿部２３を複数設けてもよい。この場合、ロックボルト５０の凸部５２と受け皿部２３との係合する位置は、同じ軸部５３からの距離になる。このため、上から下にずらす高さ調整の際にも、ロックボルト５０を緩め、所定の位置までスライダシャフト３２を下げ、その後ロックボルト５０を締め付ける必要がある。
【００４７】
次に、ピアノペダルへのこの実施形態の取り付けにつき、図１５及び図１６を参照して説明する。
【００４８】
固定ボルト６０を左に回して、ペダル押さえ板４６を上まで上げる。そして、ピアノのペダル２をペダル押さえ板４６と保持部１１のベースゴム１４の間に差し込み、固定ボルト６０を軽く締める。このとき、ペダル２が保持部１１の凹所１３の壁１３ａに当接させることで、取り付け位置の位置決めが行える。このため、浅く取り付けてしまい、ペダル２からピアノ用補助ペダル装置１が脱落することが防止できる。
【００４９】
続いて、ピアノ用補助ペダル装置１を左右に軽く動かし、演奏用ペダル３０が好みの向きに向くように調整して微調整した後、固定ボルト６０を締め付けて、ペダル押さえ板４６と保持部１１のベースゴム１４の間にペダル２を確実に固定する。固定ボルト６０には、周囲に凹凸がある大きな円形の摘み部６２が取り付けられているので、速やかにピアノ用補助ペダル装置１を取り付けることができる。
【００５０】
演奏用ペダル３０の高さ調整は、ロックボルト５０を緩め、所定の高さ位置までスライドシャフト３２を移動させ、ロックボルト５０の凸部５２をロックホール２２の受け皿部２３に締め込むことで行える。このように、演奏用ペダル３０の高さ調整も簡単に行える。
【００５１】
また、ピアノのペダル２に、この実施形態のピアノ用補助ペダル装置１を取り付けると、図１６に示すように、ピアノ用ペダル２の端部より、更に後で且つ上方に演奏用ペダル３０が位置することにより、てこの作用により、ピアノのペダル２を小さな力で楽に踏み込むことができる。
【００５２】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００５３】
１        ：ピアノ用補助ペダル装置
２        ：ピアノ用ペダル
１０      ：ベースプレート
１０ａ    ：ねじ
１１      ：保持部
１２      ：取り付け部
１３      ：凹所
１３ａ    ：壁
１４      ：ベースゴム
１４ｂ    ：ナット
１５      ：段部
２０      ：メインポール
２１      ：挿入穴
２２      ：ロックホール
２３      ：受け皿部
２４      ：穴
３０      ：演奏用ペダル
３１      ：ペダル部
３２      ：スライドシャフト
３２ａ    ：スライダー部
３２ｂ    ：ペダル取り付け部
３２ｃ    ：雌ねじ部
３２ｄ    ：雌ねじ部
３２ｅ    ：係合突部
３２ｆ    ：ねじ穴
３３      ：溝
３４      ：ねじ
３５      ：係合穴
４０      ：ペダル固定部
４１      ：固定枠
４２      ：折曲片
４５      ：ボス部
４５ａ    ：雌ねじ部
４５ｂ    ：基部
４６      ：ペダル押さえ板
４６ａ    ：ペダル押さえゴム
４６ｂ    ：ねじ
４６ｃ    ：凹部
５０      ：ロックボルト
５１      ：ねじ部
５２      ：凸部球体部
５３      ：軸部
５４      ：摘み部
６０      ：固定ボルト
６０ａ    ：摘み部
６１      ：雄ねじ部
６２      ：摘み部
【図１】
2018106185.tif 000003
【図２】
2018106185.tif 000004
【図３】
2018106185.tif 000005
【図４】
2018106185.tif 000006
【図５】
2018106185.tif 000007
【図６】
2018106185.tif 000008
【図７】
2018106185.tif 000009
【図８】
2018106185.tif 000010
【図９】
2018106185.tif 000011
【図１０】
2018106185.tif 000012
【図１１】
2018106185.tif 000013
【図１２】
2018106185.tif 000014
【図１３】
2018106185.tif 000015
【図１４】
2018106185.tif 000016
【図１５】
2018106185.tif 000017
【図１６】
2018106185.tif 000018
【図１７】
2018106185.tif 000019